(57)【要約】【課題】多段式燃焼器を有するガスタービンエンジンの燃焼切換制御を円滑に実施することができるガスタービンエンジンの制御方法および制御システムを提供する。【解決手段】所要数のメイン燃焼部１１と所要数のパイロット燃焼部１２とを有する燃焼器Ｂを備えるガスタービンエンジン１の制御するものであって、エンジン状態量ＥＲに基づいて燃焼器出力指令ＦＤを生成するエンジン制御装置４と、燃焼器状態量ＦＲに基づいて燃料流量指令ＱＤを生成する燃焼器制御装置６とを備え、前記燃焼器出力指令ＦＤによる燃料流量に、前記燃料流量指令ＱＤによる燃料流量を所定時間オーバライドさせてステージング処理をなすものである。【選択図】　図１
2004143942.tif 000002
【特許請求の範囲】
【請求項１】
所要数のメイン燃焼部と所要数のパイロット燃焼部とを有する燃焼器を備えるガスタービンエンジンの制御方法であって、
エンジン状態量に基づく燃焼器出力指令による燃料流量に、燃焼器状態量に基づく燃料流量指令による燃料流量を所定時間オーバライドさせてステージング処理をなすことを特徴とするガスタービンエンジンの制御方法。
【請求項２】
メイン燃焼部を所定数のブロックに分割し、各ブロックを順次作動または停止させることによりステージング処理をなすことを特徴とする請求項１記載のガスタービンエンジンの制御方法。
【請求項３】
着火が検知されたメイン燃焼部に供給されている燃料流量を着火検知直後にオーバライドされている燃料流量から差し引くことを特徴とする請求項２記載のガスタービンエンジンの制御方法。
【請求項４】
着火の検知が、燃焼器の圧力変動、燃焼ガス温度、燃焼ガスの輝度、燃焼ガスの波長、タービン回転数、またはエンジン制御量に基づいてなされることを特徴とする請求項３記載のガスタービンエンジンの制御方法。
【請求項５】
所要数のメイン燃焼部と所要数のパイロット燃焼部とを有する燃焼器を備えるガスタービンエンジンの制御システムであって、
エンジン状態量に基づいて燃焼器出力指令を生成するエンジン制御装置と、燃焼器状態量に基づいて燃料流量指令を生成する燃焼器制御装置とを備え、
前記燃焼器出力指令による燃料流量に、前記燃料流量指令による燃料流量を所定時間オーバライドさせてステージング処理をなすことを特徴とするガスタービンエンジンの制御システム。
【請求項６】
メイン燃焼部を所定数のブロックに分割し、各ブロックを順次作動または停止させることによりステージング処理をなすよう構成されてなることを特徴とする請求項５記載のガスタービンエンジンの制御システム。
【請求項７】
着火が検知されたメイン燃焼部に供給されている燃料流量を着火検知直後にオーバライドされている燃料流量から差し引くよう構成されてなることを特徴とする請求項６記載のガスタービンエンジンの制御システム。
【請求項８】
着火の検知が、燃焼器の圧力変動、燃焼ガス温度、燃焼ガスの輝度、燃焼ガスの波長、タービン回転数、またはエンジン制御量に基づいてなされるよう構成されてなることを特徴とする請求項７記載のガスタービンエンジンの制御システム。
【請求項９】
請求項５ないし請求項８のいずれか一項に記載のガスタービンエンジン制御システムを備えてなることを特徴とするガスタービンエンジン。
【発明の詳細な説明】
【０００１】
【発明の属する技術分野】
本発明は、ガスタービンエンジンの制御方法および制御システムに関する。さらに詳しくは、多段式燃焼器を有するガスタービンエンジンの制御に適用されるガスタービンエンジンの制御方法および制御システムに関する。
【０００２】
【従来の技術】
従来より、燃焼器をパイロット燃焼室（拡散燃焼室）とメイン燃焼室（予混合燃焼室）とに分けて多段式燃焼器とするとともに、これらの燃焼を運転中に切り替えることで当量比を最適に保ち、ＮＯｘ（窒素酸化物）の排出を抑えるようにしたガスタービンエンジンの制御方法が知られている。
【０００３】
このようなエンジン制御においては、パイロット燃焼室とメイン燃焼室とに供給される合計燃料流量を大元の燃料調整弁により調整する一方で、その下流に配される切り替え弁によりパイロット燃焼室からメイン燃焼室への燃料供給の切替を行うものとされる（例えば、特開昭６２−２０６２３７号公報参照。また、パイロット燃焼室とメイン燃焼室とを有するガスタービンの他の制御方法として、特開昭６３−６１７２５号公報、特開昭６３−１３４８２５号公報および特開平７−４２６５号公報等参照）。
【０００４】
ところが、このような従来の燃焼切替方式では、例えば配管に燃料が充填されるまでの時間遅れや着火遅れに起因して、切替の際に回転数が落ち込み、その後メインバーナーが急激に着火し、エンジンが不安定な状態となって、例えばサージを引き起こす原因となるといった問題がある。
【０００５】
【発明が解決しようとする課題】
本発明はかかる従来技術の課題に鑑みなされたものであって、多段式燃焼器を有するガスタービンエンジンの燃焼切換制御を円滑に実施することができるガスタービンエンジンの制御方法および制御システムを提供することを目的としている。
【０００６】
【課題を解決するための手段】
本発明のガスタービンエンジンの制御方法は、所要数のメイン燃焼部と所要数のパイロット燃焼部とを有する燃焼器を備えるガスタービンエンジンの制御方法であって、エンジン状態量に基づく燃焼器出力指令による燃料流量に、燃焼器状態量に基づく燃料流量指令による燃料流量を所定時間オーバライドさせてステージング処理をなすことを特徴とする。
【０００７】
本発明のガスタービンエンジンの制御方法においては、メイン燃焼部を所定数のブロックに分割し、各ブロックを順次作動または停止させることによりステージング処理をなすのが好ましい。
【０００８】
また、本発明のガスタービンエンジンの制御方法においては、着火が検知されたメイン燃焼部に供給されている燃料流量を着火検知直後にオーバライドされている燃料流量から差し引くのが好ましい。
【０００９】
さらに、本発明のガスタービンエンジンの制御方法においては、着火の検知が、燃焼器の圧力変動に基づいてなされるのが好ましいが、燃焼ガス温度、燃焼ガスの輝度、燃焼ガスの波長、タービン回転数、またはエンジン制御量に基づいてなされてもよい。
【００１０】
一方、本発明のガスタービンエンジンの制御システムは、所要数のメイン燃焼部と所要数のパイロット燃焼部とを有する燃焼器を備えるガスタービンエンジンの制御システムであって、エンジン状態量に基づいて燃焼器出力指令を生成するエンジン制御装置と、燃焼器状態量に基づいて燃料流量指令を生成する燃焼器制御装置とを備え、前記燃焼器出力指令による燃料流量に、前記燃料流量指令による燃料流量を所定時間オーバライドさせてステージング処理をなすことを特徴とする。
【００１１】
本発明のガスタービンエンジンの制御システムにおいては、メイン燃焼部を所定数のブロックに分割し、各ブロックを順次作動または停止させることによりステージング処理をなすよう構成されてなるのが好ましい。
【００１２】
また、本発明のガスタービンエンジンの制御システムにおいては、着火が検知されたメイン燃焼部に供給されている燃料流量を着火検知直後にオーバライドされている燃料流量から差し引くよう構成されてなるのが好ましい。
【００１３】
さらに、本発明のガスタービンエンジンの制御システムにおいては、着火の検知が燃焼器の圧力変動に基づいてなされるよう構成されてなるのが好ましいが、燃焼ガス温度、燃焼ガスの輝度、燃焼ガスの波長、タービン回転数、またはエンジン制御量に基づいてなされるよう構成さてもよい。
【００１４】
しかして、本発明のガスタービンエンジン制御システムは、ガスタービンエンジンに備えられる。
【００１５】
【作用】
本発明は前記の如く構成されているので、ステージング処理におけるエンジンの出力変動を最小限に押さえることができる。
【００１６】
【発明の実施の形態】
以下、添付図面を参照しながら本発明を実施形態に基づいて説明するが、本発明はかかる実施形態のみに限定されるものではない。
【００１７】
図１に、本発明の一実施形態に係るガスタービンエンジンの制御方法が適用されたエンジン制御システムの概略構成を示す。
【００１８】
このエンジン制御システム（以下、単に制御システムという）Ａは、例えば航空機の推進機関として用いられる、燃焼器Ｂと図示しないタービンおよびコンプレッサとを有するガスタービンエンジン（以下、単にエンジンという）１と、燃焼器Ｂに供給される燃料流量Ｑを後掲する燃料流量指令ＱＤに応じて調整する燃料流量調整器２と、エンジン１の状態量（例；タービン回転数。以下、エンジン状態量という）ＥＲを検出する例えば回転位置センサから構成されるエンジン状態量検出器３と、エンジン状態量検出器３により検出されるエンジン状態量ＥＲを監視しつつ、これを制御するよう燃焼器出力指令ＦＤを生成するエンジン制御装置４と、燃焼器Ｂの状態量（例；コンプレッサ出口圧力、コンプレッサ入口圧力、温度。以下、燃焼器状態量という）ＦＲを検出する例えば圧力センサからなる燃焼器状態量検出器５と、燃焼器状態量検出器５により検出される燃焼器状態量ＦＲを参照しつつ、燃焼器出力指令ＦＤに基づいて燃料流量指令ＱＤを生成し燃料流量調整器２に出力する燃焼器制御装置６とを主要構成要素として備えてなる。
【００１９】
エンジン１の燃焼器Ｂは、例えば予混合予蒸発管式にて燃焼を行う、外側に複数（例えば１６）のメイン燃焼部（メインバーナ）１１、１１、…（以下、メイン燃焼部１１と称す）が環状に並ぶようにして配され、その内側に各メイン燃焼部１１と対応させるようにして同数の拡散燃焼式のパイロット燃焼部（パイロットバーナ）１２、１２、…（以下、パイロット燃焼部１２と称す）が配されてなるアンニュラ型燃焼器とされている。
【００２０】
なお、ここでいう予混合予蒸発管式燃焼とは、メイン燃焼部１１内で燃料をあらかじめ蒸発させ、その蒸発した燃料蒸気中に燃焼用空気を供給して燃料と空気とをあらかじめ混合させて燃焼させる燃焼方式をいう。
【００２１】
また、燃焼器Ｂにおいては、ＮＯｘ（窒素酸化物）排出量の低減を図るため、メイン燃焼部１１は低負荷時には燃焼を行わず高負荷時にのみ燃焼を行い、低負荷時にはパイロット燃焼部１２のみが燃焼を行うものとされる。そのため、エンジン１は、運転途中で作動燃焼部の切り替え、つまりメイン燃焼部１１の着火および消化作業を行うことが必要となる。そして、このような作動燃焼部の切り替え（以下、ステージング処理と称する）は、燃焼器制御装置４の制御の下に行われるものとされる。なお、作動燃焼部とは、燃焼器出力の主体となる燃焼を行う燃焼部をいうものとする。
【００２２】
メイン燃焼部１１は、ステージング処理の際に発生するショックをできるだけ少なくするように周方向の並びで１つおきに２組（ブロック）に分けて（以下、各組を奇数列（図に斜線を付した丸で示す）および偶数列（図に白抜きの丸で示す）とよんで区別する）、各組の着火および消化を独立に制御可能とされている。なお、メイン燃焼部１１の組分け（ブロック分け）は何組でもよく、例えば全てのメイン燃焼部１１の着火および消化を独立に制御するようにしてもよい。
【００２３】
燃料流量調整器２は、パイロット燃焼部１２に供給される燃料の圧力を調整するパイロット圧力調整弁２ａ、パイロット燃焼部１２に供給される燃料の流量を調整するパイロット燃料流量調整弁２ｂ、奇数列のメイン燃焼部１１に供給される燃料の圧力を調整する奇数列圧力調整弁２ｃ、奇数列のメイン燃焼部１１に供給される燃料の流量を調整する奇数列燃料流量調整弁２ｄ、偶数列のメイン燃焼部１１に供給される燃料の圧力を調整する偶数列圧力調整弁２ｅおよび偶数列のメイン燃焼部１１に供給される燃料の流量を調整する偶数列燃料流量調整弁２ｆから構成されており、燃料流量指令ＱＤに応じてそれぞれが供給燃料の圧力および流量を調整する。
【００２４】
エンジン制御装置４は、制御量であるエンジン状態量ＥＲを目標値に追従させるよう調節するため、燃料流量Ｑを操作する操作量である燃焼器出力指令ＦＤを生成する。一般的なエンジンは燃焼効率がほぼ１００％のため燃料流量Ｑと燃焼器出力指令ＦＤは一致している。燃料流量Ｑは、具体的には、メイン燃焼部１１に供給される燃料流量（以下、メイン燃料流量という）ＱＭと、パイロット燃焼部１２に供給される燃料流量（以下、パイロット燃料流量という）ＱＰとの合計値とされる。以下、このようなエンジン制御装置４がエンジン状態量ＥＲを制御量として実行する制御をエンジン制御と呼ぶ。
【００２５】
燃焼器制御装置６は、ステージング処理を実施していない通常のエンジン運転状態においては、エンジン１の負荷状態に応じて、燃焼器出力指令ＦＤにより指示される燃料流量Ｑをメイン燃料流量ＱＭとパイロット燃料流量ＱＰとに割り振るように燃料流量指令ＱＤを生成する。また、燃焼器制御装置６は、ステージング処理を円滑に行うために必要とされる各種処理を実施する。
【００２６】
以下、図２を参照してステージング処理を説明する。図２は、ステージング処理の前後におけるエンジン状態量ＥＲ（具体的にはタービン回転数Ｎ）、パイロット燃料流量ＱＰ、メイン燃料流量ＱＭおよびこれらの合計値である燃料流量（以下、合計燃料流量ともいう）Ｑの変化の様子を示すタイムチャートである。一般に、ステージング処理は回転数一定の定常状態や加速状態で行われるが、ここでは理解を容易とするため、定常状態において作動燃焼部をパイロット燃焼部１２からメイン燃焼部１１に切り替える場合を説明する。
【００２７】
なお、加速状態におけるステージング処理は、図２に示す定常状態のステージングに比べ回転数、燃料流量ともに一定増加することになるが、基本的な処理方法は同じである。
【００２８】
（１）ステージング処理の開始時点である時刻ｔ１まではパイロット燃焼部１２のみが燃焼し、メイン燃焼部１１は燃焼していない。この状態では、パイロット燃料流量ＱＰが燃焼器出力と対応しており、燃焼器出力指令ＦＤはパイロット燃料流量ＱＰを操作するものとされる。
【００２９】
（２）時刻ｔ１にステージング処理が開始されると、奇数列のメイン燃焼部１１に着火に必要とされる所定流量（以下、ステップ流量という）ＱＭＳの燃料をステップ的に供給する。
【００３０】
ここで、ステップ流量ＱＭＳは、燃焼器出力指令ＦＤにより指示される燃料流量Ｑをオーバライドするものであるので、エンジン制御とは競合する。そのため、ステップ流量ＱＭＳはエンジン制御に不整合を発生させる要因となる。
【００３１】
しかしながら、実際には燃料の配管への充填遅れや燃焼器の着火遅れがあり、メイン燃焼部１１が着火し燃焼を開始する時点ｔ２まではメイン燃焼部１１は出力を発生しないため、このオーバライドがエンジン制御に影響を及ぼすことはない。
【００３２】
また、同じ理由によって、ステップ流量ＱＭＳを燃料流量Ｑにオーバライドさせることなく、単に燃料流量Ｑを一定に保ちつつ作動燃焼部の切り替えを行うだけ（前掲した特開昭６２−２０６２３７号公報の場合である）では、メイン燃焼部１１の着火遅れによるエンジン出力の落ち込みが発生する。
【００３３】
つまり、燃焼器制御装置６は、これを避けるために前倒し的にメイン燃焼部１１に燃料供給を開始するものとされる。
【００３４】
（３）時刻ｔ２にメイン燃焼部１１が着火して燃焼を開始すると、オーバライドされたメイン燃焼部１１の出力がエンジン状態量（タービン回転数Ｎ）ＥＲに作用し、エンジン制御に不整合が発生する。
【００３５】
ここで、この状態を放置すると、エンジン１が余分に追加されたメイン燃焼部１１の出力により加速し、これを検知したエンジン制御装置４が定常状態（元のタービン回転数）に戻すため、燃料流量Ｑを下げるよう指示する燃焼器出力指令ＦＤを出力することになる。かかる不整合状態を放置した場合のタービン回転数Ｎの挙動を図２（ａ）に破線Ｌで示す。また、この場合、エンジン制御装置４がこの不整合を収束させるため燃料流量Ｑを制御することになる（不図示である）。
【００３６】
（４）時刻ｔ３に後掲する燃焼器着火判定処理によりメイン燃焼器１１の着火・燃焼が検知されると、直ちにエンジン制御の不整合によるエンジン状態の変動を抑止し、メイン燃焼部１１の着火時のショックを小さくするため、前記（２）の手順において、メイン燃焼器１１に投入したステップ流量ＱＭＳと同量の流量をパイロット燃料流量ＱＰから減算するよう燃料流量指令ＦＤを発する。
【００３７】
これにより、エンジン制御の操作量である燃焼器出力指令ＦＤにより指示される燃料流量Ｑと、実際のパイロット燃料流量ＱＰおよびメイン燃料流量ＱＭの合計値とが一致することとなり、エンジン制御の不整合が解消され、奇数列のメイン燃焼部１１のステージングが完了する。
【００３８】
（５）時刻ｔ３から偶数列のメイン燃焼部１１へのステージング処理が開始される時刻ｔ４までの間、奇数列のメイン燃焼部１１の燃焼出力とパイロット燃焼部１２の燃焼出力との合計出力を対象としてエンジン制御を実施する。
【００３９】
（６）時刻ｔ４に偶数列のメイン燃焼部１１にステップ流量ＱＭＳを供給する。
【００４０】
この後、ｔ１からの奇数列のメイン燃焼部１１とパイロット燃焼部１２の関係と同様の処理が偶数列のメイン燃焼部１１とパイロット燃焼部１２で行なわれて全ステージング処理を完了する。
【００４１】
次に、燃焼器着火判定処理を説明する。
【００４２】
メイン燃焼部１１の着火は種々の手段により検知することが可能であるが、メイン燃焼部１１の着火の検知が迅速になされれば、エンジン制御に不整合が生じている期間を短くでき、エンジンへのショックを減少させることができる。したがって、着火検知手段は着火を迅速に検知するものであることが必要とされる。また、着火検知が迅速になされれば、着火検知遅れに起因して過剰に供給された燃料が急激に燃焼することによるエンジンの不安定状態への移行や、燃焼器の過負荷による燃焼器やタービンの寿命の低下や破損も防止される。そのためにも、メイン燃焼部１１の着火検知が迅速にさなれることが必要である。
【００４３】
このような観点から、本制御システムＡでは、燃焼器Ｂの圧力変動に基づきメイン燃焼器１１の着火を判定する。以下、燃焼器Ｂの圧力変動に基づく着火判定の原理および手順を説明する。
【００４４】
一般に、ガスタービンエンジン１のコンプレッサは図３に実線Ｌ１、Ｌ２、Ｌ３、Ｌ４からなる曲線で示すような圧力比−修正空気流量特性を有している。ここでいう圧力比は、コンプレッサ出口圧力をコンプレッサ入口圧力で除した値、つまりコンプレッサ出口圧力／コンプレッサ入口圧力をいう。なお、同図において百分率で示される数値（５０％、６０％、７０％、８０％）は修正回転数を表す。
【００４５】
また、緩やかな加減速時には、図３に破線で示す準静的作動線Ｌ５にそってエンジン状態が変化する一方、急激な加速時には、図に矢印付の破線で示すような急加速時作動線Ｌ６に沿った状態変化となる。また、実線Ｌ７からなる曲線は、サージ発生の限界ラインを示す。すなわち、ラインＬ７よりも上側がサージ発生領域である。
【００４６】
前掲したステージング処理におけるメイン燃焼器１１の着火時は、エンジンの状態は急激な加速時と同じ状態であり、例えば点Ｐ１により示される定常状態（修正回転数６０％）でメイン燃焼部１１が着火すると、速い応答で急加速時作動線Ｌ６に沿って矢印で示す方向に状態が変化する。つまり、着火直後は回転数の変化なしに圧力比が上昇し、修正空気流量は減少する。
【００４７】
すなわち、回転数変化はタービンの慣性のために応答が遅いのに対して圧力変化は応答が速いので、温度・圧力が上昇した後にタービン回転数が上昇していくことになる。ここで、エンジンの定回転数制御が行われていない場合は、そのまま点Ｐ２で示す状態に移行する。
【００４８】
したがって、前掲した手順（２）のメイン燃焼部１１にステップ流量ＱＭＳを供給した時点以後、圧力比の変化に注目し、つまり図２の時刻ｔ１からの圧力比の変化量を測定し、この変化量を所定の着火判定基準値と比較し、変化量が着火判定基準値を超えたときに、奇数列のメイン燃焼部１１が着火したものと判定するようにする。また、偶数列のメイン燃焼部１１についても同様にして着火判定を行うようにする。
【００４９】
このように、燃焼器制御装置６においては燃焼器圧力変動に基づき着火判定処理を行うものとされるので、着火を迅速に検知することが可能となり、ステージング処理の際にエンジン制御に不整合が生じている期間（図２の時刻ｔ２から時刻ｔ３までの期間）を十分に短くすることが可能となる。というのは、一般に圧力センサの応答は十分に速く、圧力変動と比較して応答の遅いタービン回転数を制御量としているエンジン制御に対し、不整合による影響が顕著となる前に着火を検知し、それにより不整合状態を解消することが可能だからである。また、不整合状態の継続時間を十分に短くすることが可能であるため、ステージング処理の前後で例えば点Ｐ１により示されるエンジン状態を維持しようとする場合にも、ステージング処理中の変動をごくわずかなものとすることが可能となる。
【００５０】
このように、本実施形態のガスタービンエンジン制御システムＡにおいては、エンジン制御装置４が、エンジン状態量（タービン回転数Ｎ）を目標値に追従させるよう燃料流量Ｑ（燃焼器出力と対応する）を操作する燃焼器出力指令ＦＤを生成し、燃焼器制御装置６が実際の燃焼器出力を燃焼器出力指令ＦＤと合致させるように燃焼器Ｂの状態をフィードバックし、各燃焼部１１、１２に供給される燃料流量ＱＭ、ＱＰを設定するものとされる。
【００５１】
つまり、通常のエンジン制御（主に回転数制御）の操作量である燃料流量指令を燃焼器出力指令ＦＤと解釈し、メイン燃焼部１１およびパイロット燃焼部１２からなる多段燃焼式の燃焼器Ｂにおけるステージング処理の際に、燃焼器制御装置６がエンジン制御とは独立して燃料供給量の制御を行うので、通常のエンジン制御に干渉しないような態様でステージング処理を実施することが可能となる。
【００５２】
これにより、従来のエンジン制御の基本的なシステムに変更を加えることなくそのシステムをそのまま多段式燃焼器に適用しつつ、ステージング処理を円滑に行うことが可能となる。したがって、システム開発のコストを低減することができるとともに、ステージング処理に伴う不都合を極小とするように最適な切換制御を実施することができる。
【００５３】
具体的には、着火判定処理によりメイン燃焼部１１の着火が確認されると、直ちに燃焼器出力指令ＦＤにオーバライドさせてメイン燃焼部１１に供給されたステップ流量ＱＭＳを、パイロット燃料流量ＱＰから減算するよう燃料流量指令ＱＤが発せられるので、タービン回転数Ｎに変動が表れる前に、実際の燃焼器出力と燃焼器出力指令ＦＤとの不整合を解消するよう制御することが可能となる。これにより、ステージング処理においてオーバライドされた過剰燃料の急激な燃焼に起因するエンジンの不安定状態移行を抑止し、円滑なステージング処理を実現することが可能となる。
【００５４】
また、燃焼器圧力の変動に基づいて迅速にメイン燃焼器１１の着火が検知されるので、着火遅れによる過剰燃料の急激な燃焼に起因するエンジンの不安定状態への移行や、過負荷による燃焼器やタービンの寿命の低下あるいは破損を防止することが可能となる。
【００５５】
さらに、メイン燃焼部１１の着火に必要とされる最低のステップ流量がある程度大きい場合にも、エンジンが不安定な状態（例えばサージ）になることを防止しつつ作動燃焼部の切替を実施することが可能となり、燃焼器の設計自由度が高くなる。
【００５６】
以上、本発明を実施形態により説明したが、本発明はこれに限られるものではなく種々改変が可能である。
【００５７】
例えば、実施形態の制御システムＡでは、着火判定処理において燃焼器の圧力変動に基づきメイン燃焼部１１の着火を検知するものとしたが、メイン燃焼部１１の温度変化に基づき検知するようにしてもよい。すなわち、メイン燃焼部１１の下流に温度センサを配設し、ステージング処理開始時点ｔ１からの検出温度の変化を所定の着火判定基準値と比較するようにして着火を検知する。この方法は、メイン燃焼部１１の温度を直接検出するため確実性が高い。しかしながら、温度センサの取付方法やセンサの応答遅れ、センサの耐久性については十分な考慮が必要となる。
【００５８】
また、エンジンの回転数変動または燃料流量指令ＦＤの変動に基づき着火判定を実施するようにしてもよい。すなわち、一般にガスタービンエンジン１の制御はタービン回転数を一定とする制御であり、定常状態ではタービン回転数およびエンジン制御の操作量（燃料流量指令ＦＤ）はともに一定である。ステージング時は、前掲したようにエンジン制御の操作量にオーバライドしてメイン燃焼部１１に燃料を供給するため、メイン燃焼部１１の着火時には回転数が変動し、その結果、回転数を一定に制御するためのエンジン制御の操作量も変動する。したがって、ステージング処理開始後の回転数の変動を監視することでメイン燃焼部の着火を検知することが可能となる。この方法によれば、着火検出のためのセンサを特に設けることなく着火を検知することが可能であるが、前掲したとおり回転数の応答は遅いため、検知時期は遅れる。
【００５９】
また、例えば光ファイバセンサによりメイン燃焼部１１の輝度、発光波長を計測し、これにより着火を検知することも可能である。輝度、発光波長の検出は応答が速く、高速かつ高精度の着火判定を実現することが期待できるが、センサの耐久性、保守性およびコスト面の弱点を克服する必要がある。
【００６０】
また、実施形態では、パイロット燃焼部１２はメイン燃焼部１１と１対１に設けられているが、パイロット燃焼部１２は所定数のメイン燃焼部１１に対して１つを設けるようにされてもよい。例えば１対３の割合で設けるようにされてもよい。
【００６１】
【発明の効果】
以上詳述したように、本発明によれば、ステージング処理におけるエンジンの出力変動を最小限に押さえることができるという優れた効果が得られる。
【図面の簡単な説明】
【図１】本発明の一実施形態に係るガスタービンエンジン制御方法が適用される制御システムの概略構成を示すブロック図である。
【図２】同制御方法による燃焼切換制御における各種状態量の変化の様子を示すタイムチャートであって、同（ａ）はタービン回転数のものを示し、同（ｂ）はパイロット燃料流量のものを示し、同（ｃ）メイン燃料流量のものを示し、同（ｄ）は合計燃料流量のものを示す。
【図３】着火判定処理の判定原理を示すグラフ図である。
【符号の説明】
Ａ　　ガスタービンエンジン制御システム
Ｂ　　燃焼器
１　　ガスタービンエンジン
２　　燃料流量調整器
３　　エンジン状態量検出器
４　　エンジン制御装置
５　　燃焼器状態量検出器
６　　燃焼器制御装置
１１　　メイン燃焼部（メインバーナ）
１２　　パイロット燃焼部（パイロットバーナ）
【図１】
2004143942.tif 000003
【図２】
2004143942.tif 000004
【図３】
2004143942.tif 000005